(57)【要約】【課題】収納部を設けて利便性を向上した空気調和装置を提供する。【解決手段】有底筒形をなす筐体６の底部に送風機２を配してある。通流部３は、送風機２が送風する空気を天蓋部６３に設けてある吹出口６３ａへ通流する。通流部３は、空気を通流する通流路を形成する前側壁３１及び後側壁３２を有する。該後側壁３２の外面には、装着部５が設けてあり、該装着部５にイオン発生器（帯電粒子発生器）４を装着してある。小物収納部６６は、イオン発生器４の後側壁３２に対する反対側に配してある。【選択図】図４
2013141881.tif 000002
【特許請求の範囲】
【請求項１】
略有底筒形をなす筐体と、該筐体内の底部に配してあり、空気を送風する送風機と、空気を吹き出す吹出口を設けてある天蓋部と、前記送風機により送風する空気を前記吹出口へ通流する通流路を形成する流路壁と、該流路壁の外面に装着してある帯電粒子発生器とを備え、該帯電粒子発生器が発生した帯電粒子を、前記送風機が送風する空気とともに前記吹出口から吹き出すようになしてある空気調和装置において、
前記帯電粒子発生器の前記流路壁に対する反対側に小物収納部を設けてあることを特徴とする空気調和装置。
【請求項２】
前記小物収納部は、前記筐体の側部に凹設してあることを特徴とする請求項１に記載の空気調和装置。
【請求項３】
前記小物収納部は、前記筐体と別体で形成してあり、前記筐体の側部に開設してある開口に嵌着してあることを特徴とする請求項１に記載の空気調和装置。
【発明の詳細な説明】
【技術分野】
【０００１】
本発明は、吸い込んだ空気を帯電粒子とともに吹き出す空気調和装置に関する。
【背景技術】
【０００２】
室内の空気には、塵埃、花粉、タバコの煙、呼気等のように、人体に不快又は有毒とされる様々な物質が含まれており、これらの物質を除去して空気を浄化するために帯電粒子を発生させる空気調和装置が種々提案されている。
【０００３】
一般的に、帯電粒子を発生させる空気調和装置は、プラスイオンであるＨ+ （Ｈ2 Ｏ）n （ｎは自然数）及びマイナスイオンであるＯ2 - （Ｈ2 Ｏ）m （ｍは自然数）を発生するイオン発生器を備え、吸い込んだ空気とともにイオンを吹き出し、空気中を浮遊するカビ及び細菌等を不活性化する。
【０００４】
特許文献１には、車輌用に改良した空気調和装置が記載されている。特許文献１に記載された空気調和装置は、筐体、イオン発生器、及び送風機等を備える。この空気調和装置は、筐体が有底円筒形をなし、筐体内の底部に送風機を配してあり、送風機から天蓋の吹出口まで流路が形成してある。イオン発生器は、流路に露出し、発生するイオンが流路内に浮遊し、流路を通流する空気とともに吹出口から外部へ吹き出される。
【０００５】
この空気調和装置では、円筒底部の外径が車輌に設けてある飲料容器ホルダに納まる寸法としてあり、車輌の座席空間内への設置が容易に行えるというものである。また、イオン発生器内の昇圧コイルの周囲をシールド部材で覆うことにより、電磁ノイズの放出を抑制してあり、車載機器への電磁干渉が低減してあるというものである。
【先行技術文献】
【特許文献】
【０００６】
【特許文献１】特開２００５−０９６４９９号公報
【発明の概要】
【発明が解決しようとする課題】
【０００７】
しかしながら、特許文献１に記載の従来の空気調和装置では、飲料容器ホルダに収容して設置され、イオンを座席空間内に吹き出す機能を有しているものの、空気調和装置の外形によって、飲料容器ホルダ周辺に配置された収納空間の利用を妨げてしまうという問題点があった。
【０００８】
特に車輌の座席空間内では、運転席と助手席との間の中央コンソール部に車載の空気調和機の吹出口があり、該吹出口から吹き出される空気も利用して、座席空間内にイオンを拡散させるべく、該吹出口付近に空気調和装置を設置するのが好適である。しかし、中央コンソール部には、カップホルダ以外にコインホルダ等の小物を入れるための収納空間が設けられている場合が多く、空気調和装置によって、カップホルダ自体の占有のみならず、収納空間の妨げにもなると、限られた収納空間しかない車輌の座席空間における乗員の利便性が損なわれてしまう。
【０００９】
本発明は斯かる事情に鑑みてなされたものであり、その目的とするところは、収納部を設けて利便性を向上した空気調和装置を提供することにある。
【課題を解決するための手段】
【００１０】
本発明に係る空気調和装置は、略有底筒形をなす筐体と、該筐体内の底部に配してあり、空気を送風する送風機と、空気を吹き出す吹出口を設けてある天蓋部と、前記送風機により送風する空気を前記吹出口へ通流する通流路を形成する流路壁と、該流路壁の外面に装着してある帯電粒子発生器とを備え、該帯電粒子発生器が発生した帯電粒子を、前記送風機が送風する空気とともに前記吹出口から吹き出すようになしてある空気調和装置において、前記帯電粒子発生器の前記流路壁に対する反対側に小物収納部を設けてあることを特徴とする
【００１１】
本発明にあっては、有底筒形をなす筐体の底部に送風機を配してあり、送風機が送風する空気を天蓋部に設けてある吹出口へ通流する通流路を形成する流路壁の外面に帯電粒子発生器が装着してある。帯電粒子発生器の流路壁に対する反対側に小物収納部を設けてある。これにより、収納部を確保することができるので、利便性が良くなる。
【００１２】
本発明に係る空気調和装置は、前記小物収納部が、前記筐体の側部に凹設してあることを特徴とする。
【００１３】
本発明にあっては、小物収納部が筐体の側部に凹設してある。これにより、筐体と一体に形成することによって、小物収納部を容易に製造できる。
【００１４】
本発明に係る空気調和装置は、前記小物収納部は、前記筐体と別体で形成してあり、前記筐体の側部に開設してある開口に嵌着してあることを特徴とする。
【００１５】
本発明にあっては、小物収納部は、筐体と別体で形成してあり、筐体の側部に開設してある開口に嵌着してある。これにより、小物収納部を着脱することができ、さらに利便性が向上する。
【発明の効果】
【００１６】
本発明によれば、有底筒形をなす筐体の底部に送風機を配してあり、送風機が送風する空気を天蓋部に設けてある吹出口へ通流する通流路を形成する流路壁の外面に帯電粒子発生器が装着してある。帯電粒子発生器の流路壁に対する反対側に小物収納部を設けてあるので、収納部が確保することができて利便性が良くなる。
【図面の簡単な説明】
【００１７】
【図１】本発明の実施の形態に係る空気調和装置を車輌の座席空間内の飲料容器ホルダに収容した状態について説明するための模式図である。
【図２】空気調和装置の正面側の外観を示す斜視図である。
【図３】空気調和装置の背面側の外観を示す斜視図である。
【図４】空気調和装置の側断面図である。
【図５】イオン発生器の外観を示す斜視図である。
【図６】後筐体を取り外した状態の空気調和装置を背面下方から見た外観を示す斜視図である。
【図７】小物収納部の他の一例を示す斜視図である。
【図８】小物収納部のさらに他の一例を示す斜視図である。
【発明を実施するための形態】
【００１８】
以下、本発明に係る空気調和装置の実施の形態を図面に基づいて説明する。
【００１９】
図１は、本発明の実施の形態に係る空気調和装置１を車輌の座席空間内の飲料容器ホルダ９０に収容した状態について説明するための模式図である。図２は、空気調和装置１の正面側の外観を示す斜視図、図３は、空気調和装置１の背面側の外観を示す斜視図、図４は、空気調和装置１の側断面図である。図４において、紙面左側は空気調和装置１の正面側（前側）、紙面右側は空気調和装置１の背面側（後側）であり、紙面垂直方向は空気調和装置１の左右方向である。
【００２０】
本実施形態の空気調和装置１は、外部から吸い込んだ空気とともに、正イオン及び負イオン（以下、正負イオンという）を外部へ吹き出す機能を有し、吹き出した正負イオンによって車輌の座席空間を清浄化する。本実施形態の空気調和装置１は、外形が略円柱状をなし、下部の外径寸法が飲料容器ホルダ９０の内径より小さくしてあり、飲料容器ホルダ９０に収容することができる。空気調和装置１の配置場所は、図１に示す位置に限られず、飲料容器ホルダ９０を設置できる場所であれば、例えば、運転席と助手席との間の小さなラゲッジスペースや後部座席の飲料用ボックスなどでもよい。ただし、図１に示す設置場所では、車内の飲料容器ホルダ９０が、車載の空気調和機の吹出口９１よりも下方に位置しており、空気調和装置１から吹き出された空気が、吹出口９１から吹き出された空気と合流するため、イオンが座席空間内に拡散しやすい。また、空気調和装置１の側部には、小物収納部６６が設けられており、乗員が適宜、硬貨などの小物を入れられるようにしてある。空気調和装置１は、シガレットライター用電源９２に電源コード８を接続することにより駆動電力を得る。なお、空気調和装置１は電池によって駆動するものであってもよい
【００２１】
空気調和装置１は、筐体６、送風機２、通流部３、イオン発生器（帯電粒子発生器）４、電源用のレセプタクル７３、及び小物収納部６６等を備える。筐体６は、縦型で有底円筒状をなし、円筒半割形状の前筐体６１及び後筐体６２、円形板状の底板６４、並びに円形板状の天蓋６３を備え、中段部分から上部へ膨らみを持たせることにより、底部の外径に対し上部の外径がやや大きい形状としてある。底部の外径は、上述のとおり、車内の飲料容器ホルダ９０に収容できる寸法としてある。後筐体６２には、中段部分から上部にかけて小物収納部６６が凹設してあり、下部に空気を吸い込むための吸込口６２ａが設けてある。小物収納部６６の詳細については後述する。天蓋６３には、操作ボタン７１、及び空気を吹き出すための吹出口６３ａが設けてある。
【００２２】
前筐体６１の内周面には、銅等の導電シート６１ｂが貼り付けてあり、同様に後筐体６２の内周面にも導電シート６２ｂが貼り付けてある。導電シート６１ｂと導電シート６２ｂとは、前筐体６１及び後筐体６２の合せ面で突き当たるか、又は若干の隙間ができる程度に配置してあり、イオン発生器４の周囲を囲むことにより、イオン発生器４で発生する電磁ノイズが外部（特に水平方向）へ放射されるのを防ぐ。
【００２３】
送風機２は、円筒形状をなし、回転軸が左右となるように配される羽根車２１及び該羽
根車２１を回転自在に収容してあるケーシング２２を有する遠心形である。羽根車２１は、外縁に対し回転中心側が回転方向へ変位する複数の羽根を有する多翼羽根車、換言すると円筒形状をなすシロッコファンであり、一端に軸受板を有し、該軸受板の中心に開設されている軸孔にモータ２３の出力軸が取り付けられる。羽根車２１は、他端または両端の開口から中心部の空洞へ吸込んだ空気を外周部の羽根の間から放出するように構成されている。
【００２４】
ケーシング２２は、羽根車２１の回転により発生する気流を羽根車２１の回転方向へ誘導し、気流の速度を増すための円弧形誘導壁２２ａと、該円弧形誘導壁２２ａの一部から円弧形誘導壁２２ａの接線方向の一方へ上向きに開放された送風口２２ｂとを有する。送風口２２ｂは円弧形誘導壁２２ａの一部から円弧形誘導壁２２ａの接線方向の一方へ突出する角筒形状をなしている。なお、送風機２は、羽根車２１の前記開口と対応する箇所が開放された側板を備えている。
【００２５】
通流部３は、その下端が送風口２２ｂに連なり、その上端が吹出口６３ａへ連なる筒形をなす。通流部３は、送風口２２ｂの一側から円弧形誘導壁２２ａの接線方向の一方に延在し、前筐体６１の内側面の一部を臨む前側壁３１と、送風口２２ｂの他側から前側壁３１に対向して配してある後側壁３２とを有する。前側壁３１及び後側壁３２の左右の縁は直接接合されるか、又は側板に接合されている。送風口２２ｂから送風された空気は、前側壁３１及び後側壁３２に沿って層流になるように誘導される。また、後側壁３２にはイオン発生器４のイオン発生部４１を流路に突出させるための開口３２ａが設けてあり、後側壁３２の外面にイオン発生器４が取り付けられている。
【００２６】
イオン発生器４は、通流部３の後側壁３２の外面に設けられた装着部５に着脱自在に装着されている。図５は、イオン発生器４の外観を示す斜視図である。イオン発生器４は、針状の放電電極及び該放電電極に対向配置された誘導電極からなるイオン発生部４１を有し、高電圧を印加された放電電極がコロナ放電を起こして正負イオンを発生させる。イオン発生器４の放電電極は、下流部１３に突出しており、発生した正負イオンは、下流部１３を通流する空気中に浮遊し、吹出口６３ａから空気とともに外部に吹き出される。吹出口６３ａを介して吹き出された正負イオンは、菌類、ウィルス、及びアレルゲン等を死滅又は不活性化させ、悪臭の原因となる物質（例えばアセトアルデヒドのような有機化合物）を分解する。
【００２７】
イオン発生器４は、略直方体状をなし、装着部５に固定する螺子４５を挿通する貫通孔４２、イオン発生器４を抜脱するための引掛部４３、及び電力を供給する端子４４を備える。引掛部４３は、イオン発生器４の上面の縁部中央から上方へ突起している。貫通孔４２は、後側壁３２に対向する面の中央やや下方よりに設けてある。端子４４は、下面に設けてある。
【００２８】
螺子４５の頭には溝４５ａが形成してある。溝４５ａは、両端が浅く中央が深い円弧状にしてあり、円盤形の部材、例えば１０円玉や１００円玉等の硬貨の周縁部分を溝４５ａに挿入して、螺子４５を簡単に回転させることができるようにしてある。螺子４５は、後側壁３２から下流部１３に突起するボス３２ｂに設けた螺子穴に螺合する。
【００２９】
装着部５は、後側壁３２の一部、及び、後側壁３２から後方に延在し、装着したイオン発生器４の上下左右を囲繞する囲繞壁により形成してある。囲繞壁は、イオン発生器４の下面に当接する当接部分及び該当接部から上方に段差を持って後筐体６２まで延在する部分を有する下部側壁５１、上面に対向する上部側壁５２、及び左右の面に対向する左右側壁５３，５３よりなる。図６は、後筐体６２を取り外した状態の空気調和装置１を背面下方から見た外観を示す斜視図である。イオン発生器４は、下部側壁５１、上部側壁５２、及び左右側壁５３，５３の後方端部による開口を通じて出し入れする。また、イオン発生器４を固定する螺子４５の頭が、下部側壁５１、上部側壁５２、及び左右側壁５３，５３の壁面を臨むように配してある。
【００３０】
上部側壁５２とイオン発生器４の上面との間には、左右に可撓片５４，５４が後側壁３２から後方へ延伸して設けてある。イオン発生器４は、下面が下部側壁５１に当接し、上面縁部に可撓片５４，５４が係止し、下部側壁５１及び可撓片５４，５４により挟持される。また、上部側壁５２中央には、上方へ穿ち前方側面が円弧状の凹部５５が引掛部４３と対向して設けてある。凹部５５の後方は開放されており、例えば１０円玉や１００円玉等の硬貨を、上部側壁５２と平行に後方から挿入することができる。挿入した硬貨の周縁部の段差にイオン発生器４の引掛部４３を引っ掛け、イオン発生器４を後方へ引き出す。イオン発生器４の上方には、イオン発生器４の上面に対向して、送風機２を制御する制御回路７２が配してあり、上部側壁５２は、イオン発生器４及び制御回路７２を仕切る。
【００３１】
下部側壁５１の壁面（即ち、囲繞壁の周面）には、送風機３及びイオン発生器４に電力を供給する電源コード８に接続されているプラグ８１が接続されるレセプタクル７３の差込口を設けてある。レセプタクル７３の差込口には、上方からプラグ８１を差し込んで電源コード８を接続し、電源コード８は、前筐体６１と後筐体６２の合せ面に設けた切欠部（図示略）から外部へ引き出してある。プラグ８１は、レセプタクル７３に接続した状態で、壁面から突出した状態となる。また、螺子４５の頭は、下部側壁５１の壁面を臨むように配置してあるので、螺子４５の頭がプラグ８１と対向し、プラグ８１をレセプタクル７３に接続した状態では、螺子４５を上述のように硬貨４６で回すことができない。
【００３２】
したがって、イオン発生器４を抜脱する際には、プラグ８１をレセプタクル７３から取り外してから、抜脱作業を行うことになる。また、イオン発生器４を装着する際にも、プラグ８１がレセプタクル７３に接続されているとプラグ８１が邪魔になって、イオン発生器４を囲繞壁の後方端部の開口から装着部５へ入れ難くしてあるので、プラグ８１をレセプタクル７３から取り外してから、イオン発生器４を装着する作業を行うことになる。
【００３３】
小物収納部６６は、イオン発生器４の後側壁３２に対する反対側（後方側）において、筐体６の天蓋部分と、筐体６の底部に設けてある送風機３との間に配してある。より詳細には、小物収納部６６は、天蓋部分に設けてある制御回路７２とイオン発生器４とを仕切る上部側壁５２の下方、かつイオン発生器４の下面に対向する下部側壁５１の上方に配してある。なお、下部側壁５１の壁面にはレセプタクル７３が設けてあり、該レセプタクル７３にプラグ８１を差し込んであるので、プラグ８１との機械的干渉は避けておく必要がある。
【００３４】
小物収納部６６は、後筐体６２の側部からイオン発生器４側へ凹設してあり、上部側壁５２に対向する上壁６６ａ、下部側壁５１に対向する底壁６６ｂ、左右側壁５３，５３の内側に夫々対向して左右壁６６ｃ，６６ｃ、及びイオン発生器４に対向する前壁６６ｄにより形成されている。小物収納部６６の底壁６６ｂにおける後方の縁部には、円弧状の柵６７が設けてある。図３に示す小物収納部６６の例では、イオン発生器４を囲繞する左右側壁５３，５３との機械的に干渉しないようにするために、左右側壁５３，５３の内側に左右壁５３，５３を設けてある。なお、上壁６６ａ、底壁６６ｂ、及び左右壁５３，５３における筐体６内を臨む壁面には、導電シート６１ｂが貼り付けてあり、外部への電磁ノイズの放射を抑制してある。
【００３５】
以上のように構成された空気調和装置１は、送風機２の羽根車２１がモータ２３の駆動により回転することで、図４中の白抜き矢印のように、後筐体６２の吸込口６２ａから内部後壁６５の吸込口６５ａを経て上流部１１に後方外部の空気を吸い込み、羽根車３１を介して中流部１２へ空気を通流し、下流部１３を経て吹出口６３ａから外部へ吹き出す。
【００３６】
また、イオン発生器４は装着部５に着脱自在に装着されており、長時間使用したものについては、新たなイオン発生器４に交換することができる。また、空気調和装置１の側部には、小物収納部６６が設けられており、乗員が適宜、硬貨などの小物を入れられるようにしてある。
【００３７】
以上のとおり、本実施形態においては、イオン発生器４が略直方体状をなし、通流路を形成する後側壁３２に固定してある可撓片５４，５４がイオン発生器４の上面の縁部に係止する係止突部を有する。下部側壁５１の内壁面は、イオン発生器４の下面に当接する。可撓片５４，５４及び下部側壁５１によってイオン発生器４を挟持してある。これにより、イオン発生器４の装着を容易かつ確実に行うことができる。
【００３８】
また、本実施形態においては、イオン発生器４を抜脱する外力を加えるための凸状の引掛部４３がイオン発生器４の上面の端部中央に設けてある。これにより、引掛部４３により、空気調和装置４の抜脱を容易に行うことができる。
【００３９】
また、本実施形態においては、送風機２の動作を制御する制御回路７２が、イオン発生器４の上面に対向する位置（即ち、上方）に配してあり、上面に対向する上部側壁５２により、制御回路７２及びイオン発生器４を仕切る。上部側壁５２に円弧状の側面を有する凹部５５を引掛部４３に対向して形成してある。これにより、イオン発生器４の上面と上部側壁５２とが近接する場合も、凹部５５に例えば１０円玉又は１００円玉等の硬貨を挿入して、引掛部４３にイオン発生器４を引き出す方向に力を加えて抜脱することができる。
【００４０】
また、本実施形態においては、イオン発生器４は、通流路を形成する後側壁３２の外側に着脱自在に装着してあり、イオン発生器４を出し入れする開口を有する囲繞壁（下部側壁５１、上部側壁５２、左右側壁５３，５３よりなる）により、イオン発生器４を囲繞する。送風機２及びイオン発生器４へ電力を供給する電源コード８に接続されているプラグ８１が着脱自在に接続されるレセプタクル７３を備え、レセプタクル７３は、プラグ８１を差し込む差込口が囲繞壁である下部側壁５１の壁面に設けてある。これにより、レセプタクル７３にプラグ８１を取り付けた状態では、囲繞壁の開口からイオン発生器４を入れ難くしてあり、プラグ８１を取り外してからイオン発生器４の装着作業を行うことにより、イオン発生器４の着脱作業中におけるイオン発生を防止する。
【００４１】
また、本実施形態においては、イオン発生器４を固定する螺子４５の頭が囲繞壁の周面に臨むように配してある。これにより、螺子４５の頭が、下部側壁５１の壁面に設けてあるレセプタクル７３の差込口に差し込まれたプラグ８１に対向して回し難くしてあり、プラグ８１を取り外してから、螺子４５を弛めてイオン発生器４を抜脱する作業を行うことにより、イオン発生器４の着脱作業中におけるイオン発生を防止する。
【００４２】
また、本実施形態においては、有底筒形をなす筐体６の底部に送風機２を配してあり、送風機２が送風する空気を天蓋部６３に設けてある吹出口６３ａへ通流する通流路を形成する通流部３の後側壁３２の外面にイオン発生器４が装着してある。イオン発生器４の後側壁３２に対する反対側に小物収納部６６を設けてある。これにより、収納部を確保することができるので、利便性が良くなる。
【００４３】
また、本実施形態においては、小物収納部６６が後筐体６２の側部に凹設してある。これにより、後筐体６２と一体に形成することによって、小物収納部６６を容易に製造できる。
【００４４】
（変形例）
図７は、小物収納部６６の他の一例を示す斜視図である。図７に示す小物収納部６６は、引出収納部６８を備えており、上述の小物収納部６６に引出収納部６８を後方から挿入して嵌着する。引出収納部６８は、底壁６８ｂ、左右壁６８ｃ，６８ｃ、前壁６８ｄ及び円弧状の後壁６８ｅを備える。引出収納部６８を小物収納部６６に嵌着した状態で、底壁６８ｂ、左右壁６８ｃ，６８ｃ、及び前壁６８ｄは夫々、小物収納部６６側の底壁６６ｂ、左右壁６６ｃ，６６ｃ、及び前壁６６ｄに対向する。後壁６８ｅは、後筐体６２の面に沿う外表面の形状を有する。なお、電磁ノイズが外部へ放射することを抑える導電シートは、後壁６８ｅの内面に貼り付けるようにしてもよい。
【００４５】
図７に示す変形例では、引出収納部６８により、収納部を着脱することができるので、利便性が向上する。引出収納部６８を取り外した状態でも、空気調和装置１の内部が露出せず、埃等が内部に入り難くしてある。
【００４６】
図８は、小物収納部６６のさらに他の一例を示す斜視図である。図８に示す例では、後筐体６２の側部から凹設された部分がなく、後筐体６２の側部には、側部を切り欠いて開口を開設してある。該開口に後方から挿入して嵌着する引出収納部６８が小物収納部となっている。引出収納部６８を後筐体６２の開口に嵌着した状態で、底壁６８ｂ、左右壁６８ｃ，６８ｃ、及び前壁６８ｄは夫々、下部側壁５１、左右側壁５３，５３、及びイオン発生器４に対向する。後壁６８ｅは、後筐体６２の面に沿う外表面の形状を有する。なお、電磁ノイズが外部へ放射することを抑える導電シートは、後壁６８ｅの内面に貼り付けるようにすればよい。図８に示す変形例では、引出収納部６８が小物収納部に相当し、収納部を着脱することができるので、利便性が向上する。
【００４７】
小物収納部６６は、コインホルダのように、硬貨を積み重ねて載置するための溝を底壁６６ｂ、または６８ｂに設けるようにしてもよく、収納する小物により、溝の形状を適宜選択することにより、さらに利便性が向上する。
【００４８】
なお、本発明は、本実施の形態だけに限ることなく、特許請求の範囲に記載された発明の技術的範囲及びそれと均等な範囲に及ぶものとする。
【符号の説明】
【００４９】
１  空気調和装置
２  送風機
３２  後側壁（流路壁）
４  イオン発生器（帯電粒子発生器）
６  筐体
６３ａ  吹出口
６６  小物収納部
６８  引出収納部（小物収納部）
【図１】
2013141881.tif 000003
【図２】
2013141881.tif 000004
【図３】
2013141881.tif 000005
【図４】
2013141881.tif 000006
【図５】
2013141881.tif 000007
【図６】
2013141881.tif 000008
【図７】
2013141881.tif 000009
【図８】
2013141881.tif 000010